(57)【要約】【課題】ボルトの締結部に影響を与えることなく、端子の回り止めを行うことができる端子取付構造を提供する。【解決手段】固定部材３上に配置され固定部材３から外方に向けて突出されナット５が締結される締結部７を有するボルト９と、締結部７が一体に設けられ固定部材３に固定される環状の座面部１１と、締結部７が挿通される孔部１３を有する端子１５と、端子１５に設けられ座面部１１の周方向の所定位置に配置される接続部１７とを備えた端子取付構造１において、座面部１１に、座面部１１の周方向等間隔に配置された複数の係合部１９を設け、端子１５に、複数の係合部１９のうち少なくとも１つと係合可能で係合部１９と係合した状態で接続部１７を所定位置に保持させる被係合部２１を設けた。【選択図】図１
2019160769.tif 000002
【特許請求の範囲】
【請求項１】
固定部材上に配置され前記固定部材から外方に向けて突出されナットが締結される締結部を有するボルトと、
前記締結部が一体に設けられ前記固定部材に固定される環状の座面部と、
前記締結部が挿通される孔部を有する端子と、
前記端子に設けられ前記座面部の周方向の所定位置に配置される接続部と、
前記座面部に設けられ前記座面部の周方向等間隔に配置された複数の係合部と、
前記端子に設けられ複数の前記係合部のうち少なくとも１つと係合可能で前記係合部と係合した状態で前記接続部を所定位置に保持させる被係合部と、
を有することを特徴とする端子取付構造。
【請求項２】
請求項１記載の端子取付構造であって、
前記座面部は、外周が正多角形状に形成され、
前記係合部は、前記座面部の外周に位置する複数の角部と、隣り合う前記角部の間の辺部とを有し、
前記被係合部は、複数の前記角部のうち１つの前記角部と係合可能な隅部と、前記隅部と一体に設けられ前記辺部と平行に形成され前記辺部と係合可能な一対の平面部とを有することを特徴とする端子取付構造。
【請求項３】
請求項１又は２記載の端子取付構造であって、
前記係合部は、前記座面部の外周に突設された複数の凸部を有し、
前記被係合部は、前記凸部と係合可能な凹部を有することを特徴とする端子取付構造。
【請求項４】
請求項１乃至３のいずれか１項に記載の端子取付構造であって、
前記係合部は、前記座面部から前記端子に向けて突設された複数の突起部を有し、
前記被係合部は、複数の前記突起部を挿入可能な複数の穴部を有することを特徴とする端子取付構造。
【請求項５】
請求項１乃至４のいずれか１項に記載の端子取付構造であって、
前記係合部は、前記座面部に前記端子と反対側に向けて設けられた複数の係合凹部を有し、
前記被係合部は、複数の前記係合凹部に挿入可能な複数の係合突片を有することを特徴とする端子取付構造。
【発明の詳細な説明】
【技術分野】
【０００１】
本発明は、端子取付構造に関する。詳細には、固定部材上に座面部を介して固定されたボルトのナットが締結される締結部に孔部を挿通して配置される端子の端子取付構造に関する。
【背景技術】
【０００２】
従来、端子取付構造としては、固定部材としてのボディ上に配置されボディから外方に向けて突出されナットが締結される締結部としてのねじ軸部を有するボルトと、ねじ軸部が一体に設けられボディに固定される環状の座面部としての円板部と、ねじ軸部が挿通される孔部としての係止孔を有する端子と、端子に設けられ円板部の周方向の所定位置に配置される接続部としてのバレル部とを備えたものが知られている（例えば、特許文献１参照）。
【０００３】
この端子取付構造では、ねじ軸部の付け根部分に、外縁形状が正多角形状に形成された回り止め部が設けられ、端子の係止孔の孔縁形状が、回り止め部の各頂点に対応する部位が係止孔の中心から遠い外側頂点と、係止孔の中心から近い内側頂点とが周方向にほぼ等角度間隔で配置された正多角形上に形成されている。
【０００４】
このような端子取付構造では、ボルトのねじ軸部に端子の係止孔を挿通し、端子の係止孔を回り止め部に配置させ、ねじ軸部にナットを締結し、端子をボルトに固定する。
【０００５】
このナットの締結による端子の連れ回りは、ボルトの回り止め部と端子の係止孔との係合によって防止されており、外側頂点と内側頂点との間のストッパ部が回り止め部と面当たりすることで、係止孔の変形を抑制している。
【先行技術文献】
【特許文献】
【０００６】
【特許文献１】特開２０１５−６０６８７号公報
【発明の概要】
【発明が解決しようとする課題】
【０００７】
しかしながら、上記特許文献１のような端子取付構造では、ボルトの締結部の付け根部分に回り止め部が設けられているので、１つの軸部に対して、ねじ形状と、回り止め部としての多角形状とを形成させる必要があり、ボルトの締結部が複雑化していた。
【０００８】
加えて、ボルトの締結部の付け根部分に回り止め部を形成してしまうと、締結部へのナットの締結を終了したとしても、端子までナットが到達することができないため、ナットを締結部より長く形成する必要があるなど、ナットの大幅な設計変更が必要となる。
【０００９】
そこで、この発明は、ボルトの締結部に影響を与えることなく、端子の回り止めを行うことができる端子取付構造の提供を目的としている。
【課題を解決するための手段】
【００１０】
請求項１記載の発明は、固定部材上に配置され前記固定部材から外方に向けて突出されナットが締結される締結部を有するボルトと、前記締結部が一体に設けられ前記固定部材に固定される環状の座面部と、前記締結部が挿通される孔部を有する端子と、前記端子に設けられ前記座面部の周方向の所定位置に配置される接続部と、前記座面部に設けられ前記座面部の周方向等間隔に配置された複数の係合部と、前記端子に設けられ複数の前記係合部のうち少なくとも１つと係合可能で前記係合部と係合した状態で前記接続部を所定位置に保持させる被係合部とを有することを特徴とする端子取付構造である。
【００１１】
この端子取付構造では、ボルトの座面部に、座面部の周方向等間隔に配置された複数の係合部が設けられているので、ボルトの締結部に端子の回り止めに関係する構造を設ける必要がない。
【００１２】
また、端子には、複数の係合部のうち少なくとも１つと係合可能で係合部と係合した状態で接続部を所定位置に保持させる被係合部が設けられているので、ボルトの締結部にナットを締結させたときに、係合部と被係合部との係合によって、端子の回り止めを行うことができる。
【００１３】
従って、このような端子取付構造では、端子の被係合部と係合する係合部がボルトの座面部に設けられているので、ボルトの締結部に影響を与えることなく、端子の回り止めを行うことができる。
【００１４】
請求項２記載の発明は、請求項１記載の端子取付構造であって、前記座面部は、外周が正多角形状に形成され、前記係合部は、前記座面部の外周に位置する複数の角部と、隣り合う前記角部の間の辺部とを有し、前記被係合部は、複数の前記角部のうち１つの前記角部と係合可能な隅部と、前記隅部と一体に設けられ前記辺部と平行に形成され前記辺部と係合可能な一対の平面部とを有することを特徴とする。
【００１５】
この端子取付構造では、座面部が、外周が正多角形状に形成され、係合部が、座面部の外周に位置する複数の角部と、隣り合う角部の間の辺部とを有するので、端子の接続部を所定位置に固定した場合、固定部材に座面部を固定する形態によっては、被係合部に対して座面部の角部が位置する場合と、被係合部に対して座面部の辺部が位置する場合とがある。
【００１６】
これに対して、被係合部は、複数の角部のうち１つの角部と係合可能な隅部と、隅部と一体に設けられ辺部と平行に形成され辺部と係合可能な一対の平面部とを有する。
【００１７】
このため、被係合部に対して座面部の角部が位置する場合には、角部と隅部とが係合し、端子の接続部を所定位置に保持して、端子の回り止めを行うことができる。
【００１８】
一方、被係合部に対して座面部の辺部が位置する場合には、辺部と一対の平面部とが係合し、端子の接続部を所定位置に保持して、端子の回り止めを行うことができる。
【００１９】
請求項３記載の発明は、請求項１又は２記載の端子取付構造であって、前記係合部は、前記座面部の外周に突設された複数の凸部を有し、前記被係合部は、前記凸部と係合可能な凹部を有することを特徴とする。
【００２０】
この端子取付構造では、係合部が、座面部の外周に突設された複数の凸部を有し、被係合部は、凸部と係合可能な凹部を有するので、端子の接続部を所定位置に配置した状態で、複数の凸部のうちいずれかの凸部に対して凹部を係合させることで、端子の接続部を所定位置に保持して、端子の回り止めを行うことができる。
【００２１】
請求項４記載の発明は、請求項１乃至３のいずれか１項に記載の端子取付構造であって、前記係合部は、前記座面部から前記端子に向けて突設された複数の突起部を有し、前記被係合部は、複数の前記突起部を挿入可能な複数の穴部を有することを特徴とする。
【００２２】
この端子取付構造では、係合部が、座面部から端子に向けて突設された複数の突起部を有し、被係合部が、複数の突起部を挿入可能な複数の穴部を有するので、端子の接続部を所定位置に配置した状態で、複数の突起部を複数の穴部に挿入することで、端子の接続部を所定位置に保持して、端子の回り止めを行うことができる。
【００２３】
加えて、複数の突起部を複数の穴部に挿入することにより、端子の回転方向における係合箇所を増大させることができ、安定して端子の回り止めを行うことができる。
【００２４】
請求項５記載の発明は、請求項１乃至４のいずれか１項に記載の端子取付構造であって、前記係合部は、前記座面部に前記端子と反対側に向けて設けられた複数の係合凹部を有し、前記被係合部は、複数の前記係合凹部に挿入可能な複数の係合突片を有することを特徴とする。
【００２５】
この端子取付構造では、係合部が、座面部に端子と反対側に向けて設けられた複数の係合凹部を有し、被係合部が、複数の係合凹部に挿入可能な複数の係合突片を有するので、端子の接続部を所定位置に配置した状態で、複数の係合突片を複数の係合凹部に挿入することで、端子の接続部を所定位置に保持して、端子の回り止めを行うことができる。
【００２６】
加えて、複数の係合突片を複数の係合凹部に挿入することにより、端子の回転方向における係合箇所を増大させることができ、安定して端子の回り止めを行うことができる。
【発明の効果】
【００２７】
本発明によれば、ボルトの締結部に影響を与えることなく、端子の回り止めを行うことができる端子取付構造を提供することができるという効果を奏する。
【図面の簡単な説明】
【００２８】
【図１】本発明の第１実施形態に係る端子取付構造の分解斜視図である。
【図２】本発明の第１実施形態に係る端子取付構造の上面図である。
【図３】本発明の第１実施形態に係る端子取付構造の上面図である。
【図４】（ａ）は図２の状態のときのボルトの上面図である。（ｂ）は図３の状態のときのボルトの上面図である。
【図５】本発明の第１実施形態に係る端子取付構造の端子の斜視図である。
【図６】本発明の第２実施形態に係る端子取付構造の分解斜視図である。
【図７】本発明の第２実施形態に係る端子取付構造の斜視図である。
【図８】（ａ）は図７の上面図である。（ｂ）は図７の下面図である。
【図９】本発明の第２実施形態に係る端子取付構造の他例を示す斜視図である。
【図１０】（ａ）は図９の上面図である。（ｂ）は図９の下面図である。
【図１１】本発明の第２実施形態に係る端子取付構造の他例を示す斜視図である。
【図１２】（ａ）は図１１の上面図である。（ｂ）は図１１の下面図である。
【図１３】本発明の第３実施形態に係る端子取付構造の分解斜視図である。
【図１４】（ａ）は本発明の第３実施形態に係る端子取付構造の上面図である。（ｂ）は本発明の第３実施形態に係る端子取付構造の下面図である。
【図１５】本発明の第３実施形態に係る端子取付構造において周辺部材が配置されたときの上面図である。
【図１６】本発明の第３実施形態に係る端子取付構造のナットの斜視図である。
【図１７】本発明の第４実施形態に係る端子取付構造の分解斜視図である。
【図１８】本発明の第４実施形態に係る端子取付構造の斜視図である。
【図１９】（ａ）は本発明の第４実施形態に係る端子取付構造の端子の下面図である。（ｂ）は本発明の第４実施形態に係る端子取付構造の端子の側面図である。
【発明を実施するための形態】
【００２９】
図１〜図１９を用いて本発明の実施の形態に係る端子取付構造について説明する。
【００３０】
（第１実施形態）
図１〜図５を用いて第１実施形態について説明する。
【００３１】
本実施の形態に係る端子取付構造１は、固定部材３上に配置され固定部材３から外方に向けて突出されナット５が締結される締結部７を有するボルト９と、締結部７が一体に設けられ固定部材３に固定される環状の座面部１１と、締結部７が挿通される孔部１３を有する端子１５と、端子１５に設けられ座面部１１の周方向の所定位置に配置される接続部１７とを備えている。
【００３２】
そして、座面部１１には、座面部１１の周方向等間隔に配置された複数の係合部１９が設けられ、端子１５には、複数の係合部１９のうち少なくとも１つと係合可能で係合部１９と係合した状態で接続部１７を所定位置に保持させる被係合部２１が設けられている。
【００３３】
また、座面部１１は、外周が正多角形状に形成され、係合部１９は、座面部１１の外周に位置する複数の角部２３と、隣り合う角部２３，２３の間の辺部２４とを有する。
【００３４】
そして、被係合部２１は、複数の角部２３のうち１つの角部２３と係合可能な隅部２５と、隅部２５と一体に設けられ辺部２４と平行に形成され辺部２４と係合可能な一対の平面部２７，２７とを有する。
【００３５】
図１〜図５に示すように、ボルト９は、車両ボディなどの固定部材３上に配置され、締結部７と、座面部１１とを備えている。
【００３６】
締結部７は、固定部材３の表面上から上方に向けて突出するように配置され、外周がナット５を締結可能にねじ形状に形成されている。
【００３７】
この締結部７には、軸方向の一端側（ここでは固定部材３側）に座面部１１が連続する一部材で設けられている。
【００３８】
座面部１１は、平板状に形成され、外周が正多角形状（ここでは正六角形状）に形成されている。
【００３９】
この座面部１１は、固定部材３の表面に対して、溶接などの固定手段を介して固定され、ボルト９を固定部材３に固定させる。
【００４０】
このように固定部材３に固定されたボルト９の締結部７には、ナット５を介して端子１５が電気的に接続（ここでは接地）される。
【００４１】
端子１５は、導電性材料からなり、機器などに接続された電線２９の端末部に設けられ、接続部１７と、端子部３１とを備えている。
【００４２】
接続部１７は、電線２９の導体部や絶縁被覆に加締められる一対の圧着片や一対の加締め片を有する。
【００４３】
この接続部１７は、一対の圧着片を電線２９の導体部に圧着することで、端子１５が電線２９と電気的に接続され、一対の加締め片を電線２９の絶縁被覆に加締めることで、端子１５が電線２９に固定される。
【００４４】
このような接続部１７は、端子部３１と連続する一部材で形成されている。
【００４５】
端子部３１は、平板状に形成され、中央部にボルト９の締結部７を挿通可能なように、孔部１３が端子部３１を貫通して設けられている。
【００４６】
この端子部３１は、孔部１３にボルト９の締結部７を挿通した状態で、締結部７にナット５を締結することにより、端子１５とボルト９とを電気的に接続すると共に、端子１５をボルト９に固定する。
【００４７】
このようなナット５の締結による端子１５のボルト９への固定において、端子１５の回り止めが行われていない場合、締結部７へのナット５の締結によって、端子部３１が連れ回りしてしまい、端子１５の接続部１７が座面部１１の周方向の所定位置から移動しようとして、接続部１７に負荷がかかってしまう。
【００４８】
このような端子１５の回り止めを行うために、ボルト９の締結部７に回り止め構造を設けてしまうと、締結部７へのナット５の締結による端子１５の固定における設計と、端子１５の回り止めにおける設計とを独立して行うことができず、締結部７やナット５などの形状が複雑化していた。
【００４９】
そこで、端子１５の回り止めを行うために、ボルト９の座面部１１には、複数の係合部１９が設けられ、端子１５の端子部３１には、被係合部２１が設けられている。
【００５０】
複数の係合部１９は、座面部１１の外周に形成された正多角形のそれぞれの角部２３と、隣り合う角部２３，２３をそれぞれ連結する平面状に形成された辺部２４となっている。
【００５１】
このため、複数の係合部１９は、正多角形の角部２３と、辺部２４とであるので、座面部１１の周方向に等間隔に配置されていることになる。
【００５２】
この複数の係合部１９としての角部２３のうちいずれか１つの角部２３、或いは隣り合う角部２３，２３の間の辺部２４には、端子１５の端子部３１に設けられた被係合部２１が係合される。
【００５３】
ここで、座面部１１は、固定部材３に対して回転規制部などが設けられていないので、座面部１１を固定部材３に固定するときには、固定部材３に対する座面部１１の角部２３及び辺部２４の配置位置は定められていない。
【００５４】
なお、固定部材３に対して座面部１１の回転を規制する回転規制部などを設けてもよいが、回転規制部の増加、座面部１１を固定部材３に固定する際の回転規制部の位置合わせなど、高コスト化してしまうので好ましくない。
【００５５】
このため、端子１５の接続部１７を所定位置に固定、すなわち電線２９の引出方向を固定した場合、被係合部２１に対して、座面部１１の角部２３が位置する場合（例えば図４（ａ）参照）と、座面部１１の隣り合う角部２３，２３の間の辺部２４が位置する場合（例えば図４（ｂ）参照）とがあり、いずれの場合においても、端子１５の回り止めを行う必要がある。
【００５６】
そこで、被係合部２１は、端子１５の端子部３１と連続する一部材で端子部３１から座面部１１側に向けて延設された隅部２５と、一対の平面部２７，２７とを備えている。
【００５７】
隅部２５は、座面部１１の角部２３と係合可能なように、角部２３の角度と同一の傾斜角度を有している。
【００５８】
この隅部２５は、座面部１１の角部２３と係合した状態で、締結部７に対する端子部３１のいずれの回転方向への移動を規制する。
【００５９】
このような隅部２５により、被係合部２１に対して座面部１１の角部２３が位置する場合（図２参照）には、隅部２５が角部２３と係合し、端子１５の回り止めを行うことができる。
【００６０】
一対の平面部２７，２７は、隅部２５の両端部から隅部２５の傾斜角度を保持して延設された後、座面部１１の隣り合う角部２３，２３の間の辺部２４と係合可能なように辺部２４と平行に延設され、隅部２５と連続する一部材でそれぞれ形成されている。
【００６１】
この一対の平面部２７，２７は、座面部１１の隣り合う角部２３，２３の間の辺部２４と係合した状態で、締結部７に対する端子部３１のいずれの回転方向への移動を規制する。
【００６２】
このような一対の平面部２７，２７により、被係合部２１に対して座面部１１の隣り合う角部２３，２３の間の辺部２４が位置する場合（図３参照）には、一対の平面部２７，２７と辺部２４とが係合し、端子１５の回り止めを行うことができる。
【００６３】
このように端子１５の接続部１７を所定位置に保持して端子１５の回り止めを行う構造を、ボルト９の座面部１１と端子１５とに設けることにより、ボルト９の締結部７に影響を与えることがない。
【００６４】
このため、ボルト９の締結部７やナット５の形状が複雑化することがなく、低コスト化することができる。
【００６５】
加えて、締結部７へのナット５の締結による端子１５の固定における設計と、端子１５の回り止めにおける設計とを独立して行うことができ、端子１５の接続信頼性を安定化し、端子１５の回り止めを安定化することができる。
【００６６】
このような端子取付構造１では、ボルト９の座面部１１に、座面部１１の周方向等間隔に配置された複数の係合部１９が設けられているので、ボルト９の締結部７に端子１５の回り止めに関係する構造を設ける必要がない。
【００６７】
また、端子１５には、複数の係合部１９のうち少なくとも１つと係合可能で係合部１９と係合した状態で接続部１７を所定位置に保持させる被係合部２１が設けられているので、ボルト９の締結部７にナット５を締結させたときに、係合部１９と被係合部２１との係合によって、端子１５の回り止めを行うことができる。
【００６８】
従って、このような端子取付構造１では、端子１５の被係合部２１と係合する係合部１９がボルト９の座面部１１に設けられているので、ボルト９の締結部７に影響を与えることなく、端子１５の回り止めを行うことができる。
【００６９】
また、座面部１１は、外周が正多角形状に形成され、係合部１９が、座面部１１の外周に位置する複数の角部２３と、隣り合う角部２３，２３の間の辺部２４とを有するので、端子１５の接続部１７を所定位置に固定した場合、固定部材３に座面部１１を固定する形態によっては、被係合部２１に対して座面部１１の角部２３が位置する場合と、被係合部２１に対して座面部１１の辺部２４が位置する場合とがある。
【００７０】
これに対して、被係合部２１は、複数の角部２３のうち１つの角部２３と係合可能な隅部２５と、隅部２５と一体に設けられ辺部２４と平行に形成され辺部２４と係合可能な一対の平面部２７，２７とを有する。
【００７１】
このため、被係合部２１に対して座面部１１の角部２３が位置する場合には、角部２３と隅部２５とが係合し、端子１５の接続部１７を所定位置に保持して、端子１５の回り止めを行うことができる。
【００７２】
一方、被係合部２１に対して座面部１１の辺部２４が位置する場合には、辺部２４と一対の平面部２７，２７とが係合し、端子１５の接続部１７を所定位置に保持して、端子１５の回り止めを行うことができる。
【００７３】
（第２実施形態）
図６〜図１２を用いて第２実施形態について説明する。
【００７４】
本実施の形態に係る端子取付構造１０１は、係合部１９が、座面部１１の外周に突設された複数の凸部１０３を有し、被係合部２１が、凸部１０３と係合可能な凹部１０５を有する。
【００７５】
なお、第１実施形態と同様の構成には、第１実施形態と同様の符号を記し、機能説明については第１実施形態を参照するものとして省略するが、第１実施形態と同様の構成であるので、得られる作用・効果については第１実施形態と同等である。
【００７６】
図６〜図８に示すように、複数の係合部１９は、座面部１１の外周から外方に向けて突設された複数の凸部１０３からなる。
【００７７】
この複数の凸部１０３は、座面部１１の周方向に等間隔に配置され、複数の凸部１０３のうちいくつかの凸部１０３に、端子１５の接続部１７の所定位置で、端子１５の端子部３１に設けられた被係合部２１が係合される。
【００７８】
被係合部２１は、端子１５の端子部３１と連続する一部材で端子部３１から座面部１１側に向けて延設され、複数の凸部１０３のうちいくつかの凸部１０３とそれぞれ係合可能なように、熊手状に形成された凹部１０５からなる。
【００７９】
この被係合部２１は、端子１５の接続部１７の所定位置で、複数の凸部１０３のうちいくつかの凸部１０３とそれぞれ係合し、締結部７に対する端子部３１のいずれの回転方向への移動を規制する。
【００８０】
このように座面部１１の周方向等間隔に複数の凸部１０３を設けることにより、固定部材３（図１参照）に対して座面部１１がどのように固定されても、端子１５の接続部１７の所定位置に対して、複数の凸部１０３の配置位置を同様の形態とすることができる。
【００８１】
このような複数の凸部１０３に対して、端子１５の接続部１７の所定位置に合わせて、端子１５の凹部１０５をいくつかの凸部１０３に係合させることで、ボルト９の締結部７に影響を与えることなく、端子１５の接続部１７を所定位置に保持して、端子１５の回り止めを行うことができる。
【００８２】
なお、図９，図１０に示すように、係合部１９を、座面部１１の外周に突設される複数の凸部の数を増大させた複数の凸部１０３ａとし、被係合部２１を、複数の凸部１０３ａのうちいくつかの凸部１０３ａに跨って係合される凹部１０５ａとしてもよい。
【００８３】
このような凸部１０３ａと凹部１０５ａとの係合であっても、端子１５の接続部１７を所定位置に保持して、端子１５の回り止めを行うことができる。
【００８４】
また、図１１，図１２に示すように、係合部１９を、座面部１１の外周に周方向に連続して山形に突設された複数の凸部１０３ｂとし、被係合部２１を、隣り合う凸部１０３ｂ，１０３ｂの間に係合される凹部１０５ｂとしてもよい。
【００８５】
このような凸部１０３ｂと凹部１０５ｂとの係合であっても、端子１５の接続部１７を所定位置に保持して、端子１５の回り止めを行うことができる。
【００８６】
このような端子取付構造１０１では、係合部１９が、座面部１１の外周に突設された複数の凸部１０３を有し、被係合部２１が、凸部１０３と係合可能な凹部１０５を有するので、端子１５の接続部１７を所定位置に配置した状態で、複数の凸部１０３のうちいずれかの凸部１０３に対して凹部１０５を係合させることで、端子１５の接続部１７を所定位置に保持して、端子１５の回り止めを行うことができる。
【００８７】
（第３実施形態）
図１３〜図１６を用いて第３実施形態について説明する。
【００８８】
本実施の形態に係る端子取付構造２０１は、係合部１９が、座面部１１から端子１５に向けて突設された複数の突起部２０３を有し、被係合部２１が、複数の突起部２０３を挿入可能な複数の穴部２０５を有する。
【００８９】
なお、他の実施形態と同様の構成には、他の実施形態と同様の符号を記し、機能説明については他の実施形態を参照するものとして省略するが、他の実施形態と同様の構成であるので、得られる作用・効果については他の実施形態と同等である。
【００９０】
図１３〜図１６に示すように、複数の係合部１９は、締結部７の周囲を囲うように、座面部１１の端子１５側の面から端子１５側に向けて突設された複数の突起部２０３からなる。
【００９１】
この複数の突起部２０３は、座面部１１の周方向に等間隔に配置され、複数の突起部２０３の全てに、端子１５の接続部１７の所定位置で、端子１５の端子部３１に設けられた被係合部２１が係合される。
【００９２】
被係合部２１は、端子１５の端子部３１の複数の突起部２０３と対応する位置に配置され、複数の突起部２０３を挿入可能なように、端子部３１を貫通して形成された複数の穴部２０５からなる。
【００９３】
この被係合部２１は、端子１５の接続部１７の所定位置で、複数の突起部２０３がそれぞれ挿入されて係合され、締結部７に対する端子部３１のいずれの回転方向への移動を規制する。
【００９４】
このように座面部１１の周方向等間隔に複数の突起部２０３を設けることにより、固定部材３に対して座面部１１がどのように固定されても、端子１５の接続部１７の所定位置に対して、複数の突起部２０３の配置位置を同様の形態とすることができる。
【００９５】
このような複数の突起部２０３に対して、端子１５の接続部１７の所定位置に合わせて、端子１５の複数の穴部２０５を全ての突起部２０３に係合させることで、ボルト９の締結部７に影響を与えることなく、端子１５の接続部１７を所定位置に保持して、端子１５の回り止めを行うことができる。
【００９６】
加えて、複数の突起部２０３と複数の穴部２０５とは、座面部１１の周方向の複数箇所で係合するので、端子１５の回り止めを安定して行うことができる。
【００９７】
さらには、複数の突起部２０３と複数の穴部２０５とは、座面部１１の外周に張り出すことがないので、例えば、図１５に示すように、座面部１１の外周に車両ボディなどの周辺部材２０７が配置されているような限られた配置スペースであっても、端子１５の回り止めを行うことができる。
【００９８】
なお、ボルト９の締結部７に締結されるナット５には、穴部２０５に挿入された突起部２０３との干渉を避けるために、周方向に連続して形成された溝部２０９が設けられているが、突起部２０３の突出長さを穴部２０５の深さより小さく設定した場合には、ナット５に溝部２０９を設けなくともよい。
【００９９】
このような端子取付構造２０１では、係合部１９が、座面部１１から端子１５に向けて突設された複数の突起部２０３を有し、被係合部２１が、複数の突起部２０３を挿入可能な複数の穴部２０５を有するので、端子１５の接続部１７を所定位置に配置した状態で、複数の突起部２０３を複数の穴部２０５に挿入することで、端子１５の接続部１７を所定位置に保持して、端子１５の回り止めを行うことができる。
【０１００】
加えて、複数の突起部２０３を複数の穴部２０５に挿入することにより、端子１５の回転方向における係合箇所を増大させることができ、安定して端子１５の回り止めを行うことができる。
【０１０１】
（第４実施形態）
図１７〜図１９を用いて第４実施形態について説明する。
【０１０２】
本実施の形態に係る端子取付構造３０１は、係合部１９が、座面部１１に端子１５と反対側に向けて設けられた複数の係合凹部３０３を有し、被係合部２１が、複数の係合凹部３０３に挿入可能な複数の係合突片３０５を有する。
【０１０３】
なお、他の実施形態と同様の構成には、他の実施形態と同様の符号を記し、機能説明については他の実施形態を参照するものとして省略するが、他の実施形態と同様の構成であるので、得られる作用・効果については他の実施形態と同等である。
【０１０４】
図１７〜図１９に示すように、複数の係合部１９は、座面部１１の外周側の縁部に、座面部１１の端子１５側の面から端子１５と反対側に向けて設けられた複数の係合凹部３０３からなる。
【０１０５】
この複数の係合凹部３０３は、座面部１１の周方向に等間隔に配置され、複数の係合凹部３０３の全てに、端子１５の接続部１７の所定位置で、端子１５の端子部３１に設けられた被係合部２１が係合される。
【０１０６】
被係合部２１は、端子１５の端子部３１の複数の係合凹部３０３と対応する位置に配置され、複数の係合凹部３０３に挿入可能なように、端子部３１の座面部１１側の面から端子１５側に向けて突設された複数の係合突片３０５からなる。
【０１０７】
この被係合部２１としての複数の係合突片３０５は、端子１５の接続部１７の所定位置で、複数の係合凹部３０３にそれぞれ挿入されて係合され、締結部７に対する端子部３１のいずれの回転方向への移動を規制する。
【０１０８】
このように座面部１１の周方向等間隔に複数の係合凹部３０３を設けることにより、固定部材３に対して座面部１１がどのように固定されても、端子１５の接続部１７の所定位置に対して、複数の係合凹部３０３の配置位置を同様の形態とすることができる。
【０１０９】
このような複数の係合凹部３０３に対して、端子１５の接続部１７の所定位置に合わせて、端子１５の複数の係合突片３０５を全ての係合凹部３０３に係合させることで、ボルト９の締結部７に影響を与えることなく、端子１５の接続部１７を所定位置に保持して、端子１５の回り止めを行うことができる。
【０１１０】
加えて、複数の係合凹部３０３と複数の係合突片３０５とは、座面部１１の周方向の複数箇所で係合するので、端子１５の回り止めを安定して行うことができる。
【０１１１】
さらには、複数の係合凹部３０３と複数の係合突片３０５とは、座面部１１の外周に張り出すことがないので、座面部１１の外周に車両ボディなどの周辺部材２０７（図１５参照）が配置されているような限られた配置スペースであっても、端子１５の回り止めを行うことができる。
【０１１２】
なお、複数の係合凹部３０３は、座面部１１の外周側に設けられているが、これに限らず、例えば、複数の突起部２０３（図１３参照）のように、複数の係合凹部３０３を締結部７の周囲を囲うように設け、複数の係合突片３０５を端子１５の複数の係合凹部３０３と対応する位置に設けるようにしてもよい。
【０１１３】
このような場合であっても、複数の係合凹部３０３と複数の係合突片３０５とが、座面部１１の外周に張り出すことがなく、限られた配置スペースで、端子１５の回り止めを行うことができる。
【０１１４】
このような端子取付構造３０１では、係合部１９が、座面部１１に端子１５と反対側に向けて設けられた複数の係合凹部３０３を有し、被係合部２１が、複数の係合凹部３０３に挿入可能な複数の係合突片３０５を有するので、端子１５の接続部１７を所定位置に配置した状態で、複数の係合突片３０５を複数の係合凹部３０３に挿入することで、端子１５の接続部１７を所定位置に保持して、端子１５の回り止めを行うことができる。
【０１１５】
加えて、複数の係合突片３０５を複数の係合凹部３０３に挿入することにより、端子１５の回転方向における係合箇所を増大させることができ、安定して端子１５の回り止めを行うことができる。
【０１１６】
なお、本発明の実施の形態に係る端子取付構造では、座面部の正多角形状が六角形状とされているが、これに限らず、座面部を正五角形以下、或いは正七角形以上としてもよい。
【０１１７】
また、係合部としての角部、凸部、突起部と、係合凹部と、被係合部としての隅部及び一対の辺部、凹部、穴部と、係合突片とは、それぞれ独立して設けられた構造を示しているが、これに限らず、例えば、係合部が角部と突起部とを有し、被係合部が隅部及び一対の辺部と穴部とを有する構造にするなど、複数の構造を複合して設けてもよい。
【符号の説明】
【０１１８】
１，１０１，２０１，３０１…端子取付構造
３…固定部材
５…ナット
７…締結部
９…ボルト
１１…座面部
１３…孔部
１５…端子
１７…接続部
１９…係合部
２１…被係合部
２３…角部
２４…辺部
２５…隅部
２７…平面部
１０３…凸部
１０５…凹部
２０３…突起部
２０５…穴部
３０３…係合凹部
３０５…係合突片
【図１】
2019160769.tif 000003
【図２】
2019160769.tif 000004
【図３】
2019160769.tif 000005
【図４】
2019160769.tif 000006
【図５】
2019160769.tif 000007
【図６】
2019160769.tif 000008
【図７】
2019160769.tif 000009
【図８】
2019160769.tif 000010
【図９】
2019160769.tif 000011
【図１０】
2019160769.tif 000012
【図１１】
2019160769.tif 000013
【図１２】
2019160769.tif 000014
【図１３】
2019160769.tif 000015
【図１４】
2019160769.tif 000016
【図１５】
2019160769.tif 000017
【図１６】
2019160769.tif 000018
【図１７】
2019160769.tif 000019
【図１８】
2019160769.tif 000020
【図１９】
2019160769.tif 000021